(57)【要約】【課題】この発明は誰でも容易に分解組立及び基礎工事が可能で、且つ、高強度で錆び難く、美観の良い、安価な柱脚用独立基礎及びその施工方法を開発・提供する事にある。【解決手段】この課題を解決する為の手段として、基礎は亜鉛鍍金を施した後、塗装又はＦＲＰ等で皮膜する等の防錆処理を施した正方形又は矩形状の底板と基礎枠本体２と、基礎枠本体２の中心又は埋設立地条件に適合した所定位置に偏心させて設けた一本又は複数本の接続金具付基礎柱３から成るものである。又、基礎部の底板１の縦・横寸法と基礎部の埋設深さを所定寸法に設け、且つ、基礎柱３の上端部に設けた接続金具部に独立広告塔４の工作物又は鉄骨建物等を係止し、且つ、底板１及び基礎枠本体２上面に埋め戻し土を所定深さまで埋設し基礎部全面に荷重を掛ける事で、風圧力や地震力等により生ずる転倒力に対抗可能にして設けたものである。【選択図】  図３
2007126900.tif 000002
【特許請求の範囲】
【請求項１】
主に独立広告塔等の工作物に使用し、鉄骨建物等にも使用可能な基礎であって、金属製板（１）と該板に基礎枠本体（２）を一体に設け、該基礎枠本体の中心か、或いは埋設立地条件に適合した所定位置に、一本又は複数本の接続金具付基礎柱（３）を設けた事を特徴とする柱脚用独立基礎。
【請求項２】
基礎部の底板（１）の縦（Ｙ）・横（Ｘ）寸法と基礎部の埋設深さ（Ｈ）を所定寸法に設け、且つ、基礎柱の上端部に設けた接続金具部に独立広告塔（４）等の工作物又は鉄骨建物等を係止し、且つ、底板（１）及び基礎枠本体（２）上面に埋め戻し土（Ｐ'）を所定深さまで埋設し基礎部全面に荷重を掛ける事で、風圧力や地震力等により生ずる転倒力に対抗可能にして設けた事を特徴とする柱脚用独立基礎の施工方法。
【発明の詳細な説明】
【技術分野】
【０００１】
この発明は、主に独立広告塔や鉄骨建物等の基礎に使用する柱脚用独立基礎及びその施工方法に関するものである。
【背景技術】
【０００２】
従来の基礎は、工程が多い為、工期が長く、工事費もその分高く成る。又、基礎工事は外注する場合が多く、工期の施工方法及び工事費が施工業者によって異なる為、工事予算の見積もり等が立て難く、更に基礎図面通りに施工されない場合や施工業者の技術的なバラツキ等から外注先の選定に手間取る等の問題が有った。
【０００３】
そこで、これまでに出願されている基礎に関する特許文献を参考の為、紹介する。（特許文献１〜４参照。）
【特許文献１】特開２０００−２２０２２３
【特許文献２】特開２００２−３０９５８７
【特許文献３】特開２００３−３２８３７３
【特許文献４】特開２００５−００２５９２
【発明の開示】
【発明が解決しようとする課題】
【０００４】
そこで、上記課題を解決する為に、この発明は誰でも容易に分解組立及び基礎工事が可能で、且つ、高強度で錆び難く、美観の良い、安価な柱脚用独立基礎及びその施工方法を開発・提供する事にある。
【課題を解決するための手段】
【０００５】
この課題を解決する為の手段として、金属製板と該板に基礎枠本体を一体に設け、該基礎枠本体の中心か、或いは埋設立地条件に適合した所定位置に、一本又は複数本の接続金具付基礎柱を設けたものである。
【０００６】
又、基礎部の底板の縦・横寸法と基礎部の埋設深さを所定寸法に設け、且つ、基礎柱の上端部に設けた接続金具部に独立広告塔等の工作物又は鉄骨建物等を係止し、且つ、底板及び基礎枠本体上面に埋め戻し土を所定深さまで埋設し基礎部全面に荷重を掛ける事で、風圧力や地震力等により生ずる転倒力に対抗可能にして設けたものである。
【発明の効果】
【０００７】
この発明の効果として、金属製板と該板に基礎枠本体を一体に設け、該基礎枠本体の中心か、或いは埋設立地条件に適合した所定位置に、一本又は複数本の接続金具付基礎柱を設け、又、基礎部の底板の縦・横寸法と基礎部の埋設深さを所定寸法に設け、且つ、基礎柱の上端部に設けた接続金具部に独立広告塔等の工作物又は鉄骨建物等を係止し、且つ、底板及び基礎枠本体上面に埋め戻し土を所定深さまで埋設し基礎部全面に荷重を掛ける事で、風圧力や地震力等により生ずる転倒力に対抗可能にして設けた事で、基礎工事費が低減出来、且つ、工作物の工期短縮や均一した基礎施工が可能に成り、更に建物やその他の工作物にも使用出来、又、基礎工事後の残土・残材が殆ど出ない、基礎の移設が簡単に出来る等、極めて有益なる効果を奏するものである。
【発明を実施するための最良の形態】
【０００８】
この発明の最良の形態として、この発明である柱脚用独立基礎は、施工する場所や環境条件や予算等に適合した寸法形状や接合方法や施工方法を設定する事が重要である。
【実施例１】
【０００９】
そこで、この発明の一実施例を図１〜図２に基づいて詳述すると、主に独立広告塔等の工作物に使用し、鉄骨建物等にも使用可能な基礎であって、金属製板（１）と該板に基礎枠本体（２）を一体に設け、該基礎枠本体の中心か、或いは埋設立地条件に適合した所定位置に、一本又は複数本の接続金具付基礎柱（３）を設けた事を特徴とする柱脚用独立基礎から構成される。
【００１０】
次に、この発明の部品構成及び寸法形状を説明すると、まず、基礎本体は基礎本体上部に取り付ける看板の大きさと取付高さで最大負荷モーメントを算出し、それに対抗可能な部材の大きさや板厚が設定されるが標準的なものを紹介すると、図１に示す様に、縦（Ｙ）寸法が１４００ｍｍで、横（Ｘ）寸法が１１００ｍｍで、板厚が９ｍｍの矩形状の底板（１）を設け、該底板（１）上中央部に一辺が１５０ｍｍで、板厚４．５ｍｍで、長さが６５０ｍｍの角パイプを溶着し、角パイプの上端部には一辺が３５０ｍｍの正方形で板厚が１９ｍｍの接続板（３ｂ）を溶着し、接続板（３ｂ）下部四方には三角形状の補強板（３ｃ）をそれぞれ二枚ずつ補強し、且つ、底板（１）と基礎柱本体（３ａ）の接続部には板厚９ｍｍで幅２００ｍｍの三角形状の補強板をクロス状に溶着し、且つ、底板（１）の四辺に対して平行、且つ、端面から約２００ｍｍ（縦方向）と１３０ｍｍ（横方向）程度離した位置に板厚９ｍｍで幅９０ｍｍの補強板をそれぞれ溶着したものである。
【００１１】
次に、基礎柱の上部に接続係止する広告塔（４）の部品構成及び寸法形状を説明すると、図２に示す様に一辺が１５０ｍｍで、板厚４．５ｍｍで、長さが約５１３０の角パイプを設け、且つ、該角パイプの下端部に一辺が３５０ｍｍの正方形で板厚が１９ｍｍの接続板（４ｂ）を溶着し、接続板（４ｂ）上部四方には三角形状の補強板（４ｃ）をそれぞれ二枚ずつ補強し、且つ、角パイプの上端部表裏に看板（４ｄ）を溶着したものである。
【００１２】
そして、基礎本体全体に強力な亜鉛鍍金を施した後、塗装又はＦＲＰ等で皮膜して防錆処理を施している。
【００１３】
次に、基礎本体と広告塔の接続組立要領について説明すると、図３に示す様に広告塔の取付方向は看板（４）の表裏両面側が底板（１）の縦方向と一致する方向に合わせ、それぞれの接続板（３ｂ）（４ｂ）に設けた６箇所のボルト通し穴（Ｈ１）（Ｈ２）部にボルト（Ｂ）・ナット（Ｎ）・ワッシャ（Ｗ）等の係止部材を係止し、風圧力や地震力等により生ずる転倒力に対抗出来る様に成っている。
【００１４】
続いて、この発明の施工方法について説明すると、基礎部の底板（１）の縦（Ｙ）・横（Ｘ）寸法と基礎部の埋設深さ（Ｈ）を所定寸法に設け、且つ、基礎柱の上端部に設けた接続金具部に独立広告塔（４）等の工作物又は鉄骨建物等を係止し、且つ、底板（１）及び基礎枠本体（２）上面に埋め戻し土（Ｐ'）を所定深さまで埋設し基礎部全面に荷重を掛ける事で、風圧力や地震力等により生ずる転倒力に対抗可能にして設けたものである。
【００１５】
図４は基礎本体と広告塔の接続部を地上に設けた時を示し、予め底板の大きさに合わせた埋設穴を安全基準に適合した埋設深さ（Ｈ）（約９２０ｍｍ）まで掘り下げ、底板面及び接続面（３ｂ'）が水平に成る様に設置した後、底板及び基礎枠本体上部に埋め戻し土（Ｐ'）を所定深さまで埋め戻して埋設し、最後に地固めをして完了する。
【実施例２】
【００１６】
その他の事例として、図５に示す様に状況に応じて基礎本体と広告塔の接続部を地中に設ける場合が有るが、この場合、接続部周辺をモルタル等の固着部材で包囲して安定させ、又、美観的にも綺麗に仕上げることが出来、商品価値を高める。
【００１７】
又、実施例１では標準的な基礎を紹介しているが、上記実施例１の場合、柱が１本で底板の中心に設けているが、状況に応じて柱の位置を偏心させたり、又、強度上の問題や施工条件に応じて、柱の数を複数本設けて対応する場合もある。
【００１８】
又、小型の広告塔等の場合、状況に応じて基礎部と広告塔の柱の接続部を廃止し、一体化して設ける場合もある。
【実施例３】
【００１９】
上記、実施例１及び２では基礎柱上部に広告塔（４）等の看板（４ｄ）を係止したものを紹介しているが、広告塔以外に鉄骨建物等の柱を係止して使用する事も可能である。
【産業上の利用可能性】
【００２０】
この発明の柱脚用独立基礎は、誰でも容易に分解組立及び基礎工事が可能で、且つ、高強度で錆び難く、美観が良く、安価である為、多くの市場に寄与する点で産業上の利用可能性を有する。
【図面の簡単な説明】
【００２１】
【図１】この発明の一実施例を示し、基礎本体の斜視図である。
【図２】この発明の一実施例を示し、独立広告塔の斜視図である。
【図３】この発明の一実施例を示し、基礎本体と独立広告塔の組立斜視図である。
【図４】この発明の使用例を示し、接続金具部を地上に設けた時の一部欠截正面図である。
【図５】この発明のその他の使用例を示し、接続金具部を地中に設けモルタルで固着した時の一部欠截正面図である。
【符号の説明】
【００２２】
１  底板
２  基礎枠本体
３  基礎柱
３ａ  基礎柱本体
３ｂ  接続板
３ｃ  補強板
４  広告塔
４ａ  柱部材
４ｂ  接続板
４ｃ  補強板
４ｄ  看板
Ｂ  ボルト
Ｃ  モルタル等の固着部材
Ｈ  埋設深さ
Ｈ１  ボルト通し穴（基礎柱側）
Ｈ２  ボルト通し穴（広告塔側）
Ｎ  ナット
Ｐ  地中
Ｐ'  埋め戻し土
Ｗ  ワッシャー
【図１】
2007126900.tif 000003
【図２】
2007126900.tif 000004
【図３】
2007126900.tif 000005
【図４】
2007126900.tif 000006
【図５】
2007126900.tif 000007